(57)【要約】【課題】  紙媒体資料を不織布上に乗せただけの状態において紙媒体資料の洗浄を行うと、紙媒体資料が傷付き易くなる。【解決手段】  洗浄水によって洗浄される紙媒体資料（４）を挟持するために用いられ、ポリエステルで形成された第１及び第２のシート部材（２，３）を有し、第１及び第２のシート部材のうち少なくとも一方のシート部材が通水性を有するとともに、少なくとも他方のシート部材が前記紙媒体資料よりも剛性が高い。【選択図】  図１
2006342453.tif 000002
【特許請求の範囲】
【請求項１】
洗浄水によって洗浄される紙媒体資料を挟持するために用いられ、ポリエステルで形成された第１及び第２のシート部材を有し、
前記第１及び第２のシート部材のうち少なくとも一方のシート部材が通水性を有するとともに、少なくとも他方のシート部材が前記紙媒体資料よりも剛性が高いことを特徴とする紙媒体資料用の洗浄器。
【請求項２】
前記第１及び第２のシート部材は、前記紙媒体資料を挟持した状態において互いに接触する領域を有し、この領域のうち少なくとも前記紙媒体資料の外形に沿った部分が溶着されていることを特徴とする請求項１に記載の紙媒体資料用の洗浄器。
【請求項３】
前記第１及び第２のシート部材のうち少なくとも一方が略透明であることを特徴とする請求項１又は２に記載の紙媒体資料用の洗浄器。
【請求項４】
前記第１及び第２のシート部材は、同一面内において複数の前記紙媒体資料を挟持可能であることを特徴とする請求項１から３のいずれかに記載の紙媒体資料用の洗浄器。
【請求項５】
前記第１のシート部材がポリエステル繊維からなる不織布であり、前記第２のシート部材がポリエステル樹脂で形成されていることを特徴とする請求項１から３のいずれかに記載の紙媒体資料用の洗浄器。
【発明の詳細な説明】
【技術分野】
【０００１】
本発明は、古書や古文書などの紙媒体資料を洗浄することができる紙媒体資料用の洗浄器に関するものである。
【背景技術】
【０００２】
古書や古文書などの歴史的な資料は貴重な文化的財産であり、永続的に管理していく必要がある。ここで、歴史的な資料は経時変化によって着色したり、汚れが付着したりすることがあり、この場合には汚れ等を取り除く修復作業が必要となる。
【０００３】
この修復作業としては、資料に付着した汚れ等を洗浄水で洗い流す洗浄処理がある。具体的には、網や不織布で構成された支持板に資料を載せて、水やお湯等の洗浄水の中に浸漬する。そして、支持板を洗浄水中で動かすことにより、資料に付着した汚れ等を取り除いている。
【発明の開示】
【発明が解決しようとする課題】
【０００４】
従来の洗浄処理では、資料を支持板に載せているだけであるため、洗浄水中において資料を支持板に固定させておくことが困難である。すなわち、洗浄水中で支持板を動かした際に、支持板から資料が離れてしまうことがあり、この場合には資料に傷が付いてしまうこともある。
【０００５】
また、資料を支持板に固定させたとしても、資料の片面は洗浄水に直接接触しているため、洗浄水中で支持板を動かした際に生じる洗浄水の揺れによって、資料に傷が付いてしまうことがある。
【０００６】
さらに、支持板に資料を載せるだけでは、１回の洗浄処理によって複数枚の資料を洗浄することは困難である。すなわち、支持板に複数枚の資料を載せた場合には、これらの資料が支持板から離れないように注意する必要があり、不注意等によって一部の資料が支持板から離れてしまうことがある。
【０００７】
このような不具合を避けるためには、資料を１枚ずつ洗浄する必要があり、資料を洗浄する作業者にとっては面倒な作業となる。
【０００８】
ここで、歴史的な資料では、虫食いやカビなどの影響によって強度が極端に低下していることが多いため、資料の破損を防止するために、細心の注意を払って洗浄処理を行わなければならない。また、厚みが薄い資料も強度が低いため、細心の注意を払って洗浄処理を行う必要がある。
【０００９】
そこで、本発明の目的は、紙媒体資料を傷つけることなく容易に洗浄することができる紙媒体資料用の洗浄器を提供することにある。
【課題を解決するための手段】
【００１０】
本発明である紙媒体資料用の洗浄器は、洗浄水によって洗浄される紙媒体資料を挟持するために用いられ、ポリエステルで形成された第１及び第２のシート部材を有し、前記第１及び第２のシート部材のうち少なくとも一方のシート部材が通水性を有するとともに、少なくとも他方のシート部材が前記紙媒体資料よりも剛性が高いことを特徴とする。
【発明の効果】
【００１１】
本発明によれば、紙媒体資料を第１及び第２のシート部材によって挟持し、第１及び第２のシート部材のうち少なくとも一方のシート部材に通水性を持たせることにより、洗浄動作に伴う洗浄水の揺れによって紙媒体資料を傷つけることなく容易に洗浄処理を行うことができる。
【００１２】
しかも、紙媒体資料を第１及び第２のシート部材で挟持することで、洗浄器を洗浄水中から容易に取り出すことができる。また、第１及び第２のシート部材のうち少なくとも他方のシート部材に紙媒体資料よりも高い剛性を持たせることにより、洗浄器を洗浄水中から取り出す際に、紙媒体資料の一部に過度の負荷が掛かるのを抑制することができる。
【００１３】
ここで、紙媒体資料を挟持した状態において互いに接触する領域のうち、少なくとも紙媒体資料の外形に沿った部分を溶着することにより、第１及び第２のシート部材間において紙媒体資料が動いてしまうのを防止することができる。
【００１４】
また、第１及び第２のシート部材のうち少なくとも一方を略透明とすれば、第１及び第２のシート部材によって挟持された紙媒体資料の洗浄状態を容易に確認することができる。
【発明を実施するための最良の形態】
【００１５】
以下、本発明の実施例について説明する。
【実施例１】
【００１６】
図１は本発明の実施例１である紙媒体資料用の洗浄器の外観斜視図である。紙媒体資料用の洗浄器１は、ポリエステル繊維で形成された不織布シート２と、ポリエステル樹脂で形成されたポリエステルフィルム３とを有している。ここで、不織布シート２をポリエステル繊維で形成することにより、他の高分子繊維を用いた場合に比べて不織布シート２の強度を向上させることができる。
【００１７】
紙媒体資料４を洗浄する場合には、まず、紙媒体資料４をポリエステルフィルム３上に配置する。そして、紙媒体資料４を挟むように、通水性を有する不織布シート２をポリエステルフィルム３に対して重ねる。
【００１８】
ここで、ポリエステルフィルム３としては、厚みが３８μｍ以上で、かつ１００μｍ以下のものを用いることが好ましい。厚みが３８μｍよりも小さい場合や、１００μｍよりも大きい場合には、ポリエステルフィルム３を取り扱う上で、不便となる。
【００１９】
また、ポリエステルフィルム３の厚みを、上述した数値範囲内において、紙媒体資料４の大きさ（ポリエステルフィルム３と接触する面の大きさ）に応じて変更することができる。具体的には、紙媒体資料４が大きくなるほど、ポリエステルフィルム３の厚みを増加させることができる。すなわち、紙媒体資料４が大きくなると、これに伴いポリエステルフィルム３も大きくする必要があるが、この場合には、洗浄時にポリエステルフィルム３に掛かる負荷が増加することになる。したがって、ポリエステルフィルム３の厚みを増加させることによって、ポリエステルフィルム３の剛性を向上させることができる。
【００２０】
不織布シート２及びポリエステルフィルム３は同じ大きさに形成されており、ポリエステルフィルム３を重ねる際に、ポリエステルフィルム３の側辺を不織布シート２の側辺に合わせる。
【００２１】
次に、不織布シート２及びポリエステルフィルム３が互いに接触している領域のうち紙媒体資料４を囲む部分を、超音波を用いて溶着させる。すなわち、紙媒体資料４の外形に沿うように、不織布シート２及びポリエステルフィルム３を溶着させる。これにより、溶着した部分によって、紙媒体資料４が不織布シート２及びポリエステルフィルム３の間で動いてしまうのを防止することができる。
【００２２】
なお、本実施例では、超音波によって不織布シート２及びポリエステルフィルム３を溶着させているが、これに限るものではなく、熱を加えて不織布シート２及びポリエステルフィルム３を溶着させてもよい。また、紙媒体資料４の動きを抑制すれば良いため、紙媒体資料４を囲む位置において、他の部材（例えば、ステープラ）を用いたり、糸で縫ったりすることにより、不織布シート２及びポリエステルフィルム３を重ねた状態で固定しておいてもよい。すなわち、不織布シート２及びポリエステルフィルム３が相互にずれてしまわないように、不織布シート２及びポリエステルフィルム３を固定させておけばよい。
【００２３】
ここで、上述した溶着する部分を紙媒体資料４の外縁に近づけるほど、不織布シート２及びポリエステルフィルム３間における紙媒体資料４の動きを効率良く防止することができる。このように、不織布シート２及びポリエステルフィルム３の間において、紙媒体資料４を固定させておくことにより、後述する洗浄処理の際に、紙媒体資料４が洗浄水中で動いてしまうのを防止でき、紙媒体資料４に傷等が付いてしまうのを防止できる。
【００２４】
次に、紙媒体資料４を挟持した不織布シート２及びポリエステルフィルム３を、洗浄水（冷水又はお湯）で満たされた洗浄容器内に浸漬して、洗浄水内で不織布シート２及びポリエステルフィルム３を揺らす。
【００２５】
ここで、不織布シート２は通水性を有しているため、図２の矢印で示すように、洗浄水は不織布シート２を通過して、不織布シート２及びポリエステルフィルム３間の紙媒体資料４に到達する。これにより、紙媒体資料４に付着した汚れ等は洗浄水によって取り除かれ、取り除かれた汚れ等は、洗浄水とともに不織布シート２を通過して外部に排出される。
【００２６】
上述したように、紙媒体資料４は、不織布シート２及びポリエステルフィルム３が溶着した部分によって保持されているため、洗浄動作に伴う揺れによって紙媒体資料４が不織布シート２及びポリエステルフィルム３間で動いてしまうのを防止することができる。これにより、紙媒体資料４に傷が付いたり、折れ曲がったりしてしまうのを防止することができる。
【００２７】
しかも、紙媒体資料４は、不織布シート２及びポリエステルフィルム３によって挟持されており、従来のように資料の片面を洗浄水に直接接触させていない。これにより、洗浄器１を洗浄水中で揺らすことによって生じる洗浄水の揺れが、紙媒体資料４に直接作用するのを防止できる。したがって、洗浄水の揺れによって紙媒体資料４に傷等がついてしまうのを防止できる。
【００２８】
一方、ポリエステルフィルム３は略透明となっている。ここで、略透明とは、ポリエステルフィルム３及び不織布シート２によって挟持された紙媒体資料４を外部から視認できる程度の透明性を示す。例えば、ポリエステルフィルム３の透過率を略１００％に近い値に設定したり、透過率が略５０％となる半透明としたりすることもできる。
【００２９】
ポリエステルフィルム３を略透明とすることにより、外部から紙媒体資料４の状態（洗浄状態）を確認することができ、紙媒体資料４の洗浄が完了したか否かを容易に判別することができる。また、紙媒体資料４の洗浄処理を過度に行ってしまうのを防止することもできる。
【００３０】
紙媒体資料４の洗浄が完了した場合には、ポリエステルフィルム３及び不織布シート２を洗浄水から取り出す。ポリエステルフィルム３は、紙媒体資料４よりも剛性が高くなるように形成されているため、洗浄水から取り出す際に紙媒体資料４に傷等がついてしまうのを防止することができる。
【００３１】
ここで、紙媒体資料４を２枚の不織布シート２で挟持する構成では、洗浄水から取り出す際に、不織布シート２が複数の方向で折れ曲がってしまい、紙媒体資料４の一部に洗浄水による過度の負荷が掛かってしまうため、紙媒体資料４に傷等が付いてしまうおそれがある。
【００３２】
そこで、本実施例では、紙媒体資料４を挟持する一方の面をポリエステルフィルム３で構成することにより、上述した不具合が発生するのを防止している。すなわち、ポリエステルフィルム３を用いた場合には、ポリエステルフィルム３は一方向で変形するだけであり、不織布シートのように複数の方向で折れ曲がってしまうことはない。したがって、洗浄水から取り出す際に、紙媒体資料４に過度の負荷が掛かるのを防止することができる。
【００３３】
また、紙媒体資料４はポリエステルフィルム３及び不織布シート２によって挟持され、溶着した部分によってポリエステルフィルム３及び不織布シート２間で固定されているため、洗浄器１の端を持つだけで洗浄水から容易に取り出すことができる。
【００３４】
すなわち、従来では支持板上に資料を載せただけであるため、洗浄水中から取り出すときには支持板の両端を持って、洗浄水の水面に対して略平行な状態で取り出さなければならない。しかし、本実施例によれば、紙媒体資料４がポリエステルフィルム３及び不織布シート２によって挟持され、しかも、溶着した部分によって紙媒体資料４が固定されているため、洗浄器１を洗浄水の水面に対して傾けても紙媒体資料４が落下してしまうことはない。
【００３５】
一方、本実施例では不織布シート２を用いているため、ポリエステル繊維を織ることによって形成された織物を用いた場合に比べて、紙媒体資料４と接触する面をより平坦とすることができる。すなわち、紙媒体資料４と接触する面に凹凸が形成されている場合には、この凹凸面によって紙媒体資料４にも凹凸が形成されてしまうおそれがある。特に、紙媒体資料４として、強度が低下している古文書等を用いた場合には、上述した不具合が生じやすい。
【００３６】
そこで、本実施例では、上述したように不織布シート２を用いることで、紙媒体資料４と接触する面での凹凸を抑制している。これにより、凹凸面によって紙媒体資料４に与える悪影響を抑制することができる。
【００３７】
なお、本実施例では、不織布シート２と共にポリエステルシート３を用いているが、ポリエステルシート３を用いた場合も紙媒体資料４との接触面をより平坦に形成することができる。これにより、紙媒体資料４を平坦な面で挟持することができる。
【００３８】
また、不織布シート２では、隙間が多く通水性に優れているため、紙媒体資料４の洗浄に適している。さらに、紙媒体資料４の洗浄後に不織布シート２を廃棄する点を考慮すると、織物よりも安価な不織布シート２を用いることで、紙媒体資料用の洗浄器のコストダウンを図ることができる。
【００３９】
ポリエステルフィルム３及び不織布シート２を洗浄水から取り出した後は、ポリエステルフィルム３及び不織布シート２を剥がして、紙媒体資料４を取り出す。そして、紙媒体資料４を乾燥させる。これにより、紙媒体資料４の洗浄動作が完了する。
【００４０】
本実施例では、不織布シート２及びポリエステルフィルム３によって１枚の紙媒体資料４を挟持しているが、図３に示すように、複数枚の紙媒体資料４を挟持するようにしてもよい。すなわち、ポリエステルフィルム３上に複数の紙媒体資料４を並べて配置してから不織布シート２を重ねることができる。
【００４１】
ここで、ポリエステルフィルム３に所定の強度を持たせることにより、複数枚の紙媒体資料４が配置されたポリエステルフィルム３を容易に持ち運ぶことができる。すなわち、ポリエステルフィルム３が所定の強度よりも低ければ、ポリエステルフィルム３の変形によってポリエステルフィルム３上の紙媒体資料４が落下してしまうことがあり、取り扱いに不便となる。
【００４２】
上述したように不織布シート２及びポリエステルフィルム３によって複数枚の紙媒体資料４を挟持させることで、１回の洗浄動作によって、複数枚の紙媒体資料を同時に洗浄させることができる。すなわち、紙媒体資料を１枚ずつ洗浄する場合に比べて、紙媒体資料の洗浄動作を効率良く、短時間で行うことができる。
【００４３】
ここで、複数枚の紙媒体資料４を挟持する場合には、図３の一点鎖線で示すように、複数枚の紙媒体資料４を囲む位置において、不織布シート１及びポリエステルフィルム２を溶着させることができる。また、図３の二点鎖線で示すように、各紙媒体資料４を囲む位置において、不織布シート１及びポリエステルフィルム２を溶着させることもできる。
【００４４】
なお、図３では、溶着する部分（一点鎖線や二点鎖線で示す部分）を見やすくするために、互いに異なる位置で表示しているだけであり、溶着する部分は、上述したように紙媒体資料４の近傍とすることができる。
【００４５】
各紙媒体資料４を囲む位置において、不織布シート１及びポリエステルフィルム２を溶着させれば、溶着部分によって各紙媒体資料４が洗浄時にずれてしまうのを防止することができる。すなわち、各紙媒体資料４を不織布シート１及びポリエステルフィルム２の間で固定させておくことができる。
【００４６】
また、紙媒体資料４を囲む位置だけでなく、該位置に対して外側の領域（紙媒体資料４と接触していない領域）において、不織布シート１及びポリエステルフィルム２を溶着させてもよい。この場合には、不織布シート１及びポリエステルフィルム２の溶着部分における強度を向上させることができる。
【００４７】
本実施例では、通水性を有する不織布シート２と、剛性の高いポリエステルフィルム３とによって紙媒体資料４を挟持しているが、紙媒体資料４を挟持する２つのシート部材のうち一方のシート部材に対して、通水性及び剛性を持たせることもできる。具体的には、２枚のポリエステルフィルムで紙媒体資料４を挟持し、一方のポリエステルフィルムに複数の微細な孔を形成することができる。
【００４８】
このように構成しても、一方のポリエステルフィルムに形成した微細な孔によって、洗浄水を紙媒体資料に到達させて、紙媒体資料を洗浄することができる。しかも、２枚のポリエステルフィルムによって紙媒体資料を挟んでいるため、洗浄動作によって紙媒体資料に傷等がついてしまうのを防止することができる。また、この場合には、２つのシート部材を略透明にすることができるため、紙媒体資料の洗浄状態を両面から観察することができ、紙媒体資料の洗浄をより容易に行うことができる。
【００４９】
また、紙媒体資料４を挟持する２枚のポリエステルフィルムそれぞれに複数の微細な孔を形成することもできる。このように構成すれば、紙媒体資料４の両面に対して効率良く洗浄水を導くことができ、紙媒体資料４の両面を効率良く洗浄することができる。
【図面の簡単な説明】
【００５０】
【図１】本発明の実施例１である紙媒体資料用の洗浄器を示す外観斜視図である。
【図２】実施例１である紙媒体資料用の洗浄器の断面図である。
【図３】本実施例１の変形例である紙媒体資料用の洗浄器を示す正面図である。
【符号の説明】
【００５１】
１：紙媒体資料用の洗浄器
２：不織布シート
３：ポリエステルシート
４：紙媒体資料
【図１】
2006342453.tif 000003
【図２】
2006342453.tif 000004
【図３】
2006342453.tif 000005